(57)【要約】【課題】セパレータを薄くしつつも、電池セルの保護を図ることができる。【解決手段】外形を角形とし、その上面に電極端子１３を備える複数の電池セル１０と、前記複数の電池セル１０同士を積層面で重ねて積層すると共に、該電池セル１０同士の間に介在される絶縁性のセパレータ２０と、を備える電源装置であって、前記セパレータ２０は、シート状で、前記電池セル１０の幅と略等しい幅で、積層面から上面にかけて被覆するよう貼付することができる。上記構成により、電池セルの上面において、電池セル同士が面する界面の端縁がシート状セパレータで被覆されるため、この部分で隣接する電池セル同士が短絡することを回避できる。【選択図】図４
2013114954.tif 000002
【特許請求の範囲】
【請求項１】
外形を角形とし、その上面に電極端子(13)を備える複数の電池セル(10)と、
前記複数の電池セル(10)同士を積層面で重ねて積層すると共に、該電池セル(10)同士の間に介在される絶縁性のセパレータ(20)と、
を備える電源装置であって、
前記セパレータ(20)は、シート状で、前記電池セル(10)の幅と略等しい幅で、積層面から上面にかけて被覆するよう貼付されてなることを特徴とする電源装置。
【請求項２】
請求項１に記載の電源装置であって、
前記セパレータ(20)は、前記電池セル(10)の一方の積層面のみを被覆してなり、
前記電池セル(10)は、他の電池セル(10)と積層する際、前記セパレータ(20)を貼付した積層面と、他の電池セル(10)の、セパレータ(20)を貼付していない他方の積層面とを対向させるようにして積層させてなることを特徴とする電源装置。
【請求項３】
請求項１又は２に記載の電源装置であって、
前記電池セル(10)は、その上面に、電池セル(10)の外装缶の内圧が上昇した際に開弁して内部のガスを放出するための安全弁(14)を設けており、
前記セパレータ(20)は、前記安全弁(14)と対応する位置を開口した弁開口部(21)を設けてなることを特徴とする電源装置。
【請求項４】
請求項１から３のいずれか一に記載の電源装置であって、
前記電池セル(10)は、その表面を絶縁性の熱収縮フィルム(15)で被覆してなることを特徴とする電源装置。
【請求項５】
請求項１から４のいずれか一に記載の電源装置であって、
前記セパレータ(20)は、
その幅を前記電池セル(10)の幅と略一致させた側面被覆部と、
その上端において折曲されて前記電池セル(10)の上面を被覆する上面被覆部と、
その下端において折り返されて、前記電池セル(10)の幅よりも狭い幅で、かつ前記電池セル(10)の高さよりも短い長さに形成された積層部と、
を備えることを特徴とする電源装置。
【請求項６】
請求項１から５のいずれか一に記載の電源装置であって、
前記セパレータ(20)は、前記電池セル(10)の積層面を被覆すると共に、その上端から離間させた部位に、該セパレータ(20)を複数枚重ねた積層部を設けてなることを特徴とする電源装置。
【請求項７】
請求項６に記載の電源装置であって、
前記積層部は、前記セパレータ(20)の側面被覆部よりも、幅が短くなるように形成されることを特徴とする電源装置。
【請求項８】
請求項１から７のいずれか一に記載の電源装置を備える車両。
【請求項９】
請求項１から７のいずれか一に記載の電源装置を備える蓄電装置。
【発明の詳細な説明】
【技術分野】
【０００１】
本発明は、複数の角形電池セルを積層した電源装置及びこれを備える車両並びに蓄電装置に関し、特にハイブリッド車、燃料電池自動車、電気自動車、電動オートバイ等の電動車両に搭載されて車両を走行させるモータの電源装置、あるいは家庭用、工場用の蓄電用途等に使用される大電流用の電源に電力を供給する電源装置を構成する電池セルの構造に関する。
【背景技術】
【０００２】
近年の電源装置の高出力化の要求に伴い、電池セルを積層した電池ブロックを複数積層する。しかしながら、例えば車載用の電源装置のように、限られたスペースに多数の電池ブロックを配置する場合は、スペース要求が厳しく、大きなケース内に多数の電池ブロックを収納した電源装置を配置することは困難である。
【０００３】
特に、電池セルの外装缶を金属製とする場合は、電池セルを積層した状態で絶縁するため、表面にシュリンクチューブなどの絶縁チューブで被膜すると共に、樹脂製のセパレータを電池セル間に介在させている。しかしながら、セパレータの厚さによって電池セルを積層した電池ブロックの全体が厚くなってしまう。この傾向は、積層する電池セルの数が増えるほど大きくなり、特に近年の高出力化の要求に応えるため、電池セルの積層数は増える傾向にあることから、このような厚型化の対策が求められている。
【０００４】
そこで、セパレータを極力薄くすることが考えられる。例えば樹脂製のセパレータでなく、シート状のセパレータを介在させることで、電池セル間の絶縁性を確保する構成が考えられる。
【０００５】
一方、セパレータを薄くすればするほど、電池セル同士を直接積層させる状態に近付くこととなる。電池セルの外装缶は、上面を開口した有底の金属製であり、角形の上面を封口板で閉塞して、周囲をレーザ溶接などによって固定している。この固定部分は、機械的な強度がそれ程強くないため、電池セル同士を積層すると、開口端同士が接触して、溶接部分を破損する可能性がある。
【０００６】
そこで、開口端同士が接触しないように、電池セルの腹の部分同士で接触するように、セパレータの厚さを、電池セルの積層面の中央で厚くすることが考えられる。このようにすれば、図１２（ａ）の概略拡大断面図に示すように、電池セル９１０を積層しても、セパレータ９２０により中央部分同士が接触されて、封口板９１１が位置する上面の部分は隙間が形成され、直接この部分が接触して封口板９１１の溶接部分を破損する事態を回避できる。
【０００７】
しかしながら、電池セル９１０の上面で隙間が形成されると、今度はこの隙間に水滴が溜まる事態が生じ得る。この結果、図１２（ｂ）の概略拡大断面図に示すように、隣接する電池セル９１０同士が上面で水滴９４０を介して導通される虞があった。特に電池セル９１０は、側面や底面はシュリンクチューブ９１５で被覆されているものの、その上面は、安全弁を閉塞しないように露出されたままとなっており、この結果、水滴９４０による導通の可能性があった。
【先行技術文献】
【特許文献】
【０００８】
【特許文献１】特開２０１０−２８７５３０号公報
【発明の概要】
【発明が解決しようとする課題】
【０００９】
本発明は、このような問題点を解決するためになされたものである。本発明の主な目的は、複数の電池セルを積層した電池ブロックを薄型化するために、セパレータを薄くしつつも、電池セルの保護を図ることのできる電源装置及びこれを備える車両並びに蓄電装置を提供することにある。
【課題を解決するための手段及び発明の効果】
【００１０】
上記の目的を達成するために、本発明の第１の側面に係る電源装置によれば、外形を角形とし、その上面に電極端子１３を備える複数の電池セル１０と、前記複数の電池セル１０同士を積層面で重ねて積層すると共に、該電池セル１０同士の間に介在される絶縁性のセパレータ２０と、を備える電源装置であって、前記セパレータ２０は、シート状で、前記電池セル１０の幅と略等しい幅で、積層面から上面にかけて被覆するよう貼付することができる。上記構成により、電池セルの上面において、電池セル同士が面する界面の端縁がシート状セパレータで被覆されるため、この部分で隣接する電池セル同士が短絡することを回避できる。
【００１１】
また、第２の側面に係る電源装置によれば、前記セパレータ２０は、前記電池セル１０の一方の積層面のみを被覆してなり、前記電池セル１０は、他の電池セル１０と積層する際、前記セパレータ２０を貼付した積層面と、他の電池セル１０の、セパレータ２０を貼付していない他方の積層面とを対向させるようにして積層させることができる。これにより、複数の電池セルとセパレータを積層させた場合に、その積層面の両面をセパレータで被覆する場合に比べて積層方向の長さを短縮することができ、全体の小型化を図ることができる。加えて、各電池セルの両面をセパレータで被覆することなく、片面のみとしつつも隣接する電池セル間での導通を効果的に阻止し、安価に構成できる。
【００１２】
さらに、第３の側面に係る電源装置によれば、前記電池セル１０は、その上面に、電池セル１０の外装缶の内圧が上昇した際に開弁して内部のガスを放出するための安全弁１４を設けており、前記セパレータ２０は、前記安全弁１４と対応する位置を開口した弁開口部２１を設けることができる。上記構成により、電池セルの上面にセパレータを貼付しても、安全弁を閉塞することなく、安全弁の動作が阻害されない。
【００１３】
さらにまた、第４の側面に係る電源装置によれば、前記電池セル１０は、その表面を絶縁性の熱収縮フィルム１５で被覆することができる。これにより、電池セルの表面の絶縁を図ることができる。
【００１４】
さらにまた、第５の側面に係る電源装置によれば、前記セパレータ２０は、その幅を前記電池セル１０の幅と略一致させた側面被覆部と、その上端において折曲されて前記電池セル１０の上面を被覆する上面被覆部と、その下端において折り返されて、前記電池セル１０の幅よりも狭い幅で、かつ前記電池セル１０の高さよりも短い長さに形成された積層部と、を備えることができる。
【００１５】
さらにまた、第６の側面に係る電源装置によれば、前記セパレータ２０は、前記電池セル１０の積層面を被覆すると共に、その上端から離間させた部位に、該セパレータ２０を複数枚重ねた積層部を設けることができる。これにより、電池セルの積層面の中央部分を高くして、電池セルを積層した際に中央部分で当接し、上端の封口板の周囲を隣接する電池セルとの間で当接させないことができ、この部分の破損を回避できる。
【００１６】
さらにまた、第７の側面に係る電源装置によれば、前記積層部は、前記セパレータ２０の側面被覆部よりも、幅が短くなるように形成することができる。
【００１７】
さらにまた、第８の側面に係る車両は、上記の電源装置を備えることができる。
【００１８】
さらにまた、第９の側面に係る蓄電装置は、上記の電源装置を備えることができる。
【図面の簡単な説明】
【００１９】
【図１】本発明の一実施形態に係る電源装置に搭載される電池ブロックの斜視図である。
【図２】図１における電池ブロックを示す分解斜視図である。
【図３】電池セルに熱収縮フィルムを貼り付けた状態を示す斜視図である。
【図４】図３にセパレータを貼り付けた状態を示す斜視図である。
【図５】セパレータを電池セルで挟み込んだ状態の一部の概略断面図である。
【図６】実施例１のセパレータの形状を示す斜視図である。
【図７】実施例２のセパレータの形状を示す斜視図である。
【図８】実施例３のセパレータの形状を示す斜視図である。
【図９】電源装置を搭載した車両の一例を示すブロック図である。
【図１０】電源装置を搭載した車両の他の例を示すブロック図である。
【図１１】蓄電用の電源装置に適用する例を示すブロック図である。
【図１２】試作のセパレータを電池セルで挟み込んだ状態を示す概略拡大断面図（ａ）及び（ｂ）である。
【発明を実施するための形態】
【００２０】
以下、本発明の実施の形態を図面に基づいて説明する。ただし、以下に示す実施の形態は、本発明の技術思想を具体化するための電源装置及びこれを備える車両並びに蓄電装置を例示するものであって、本発明は電源装置及びこれを備える車両並びに蓄電装置を以下のものに特定しない。さらに、本明細書においては、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施の形態の部材に特定するものでは決してない。特に実施の形態に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施形態）
【００２１】
以下、一実施形態として電源装置に搭載される電池ブロックの例を、図１及び図２に基づいて説明する。これらの図において、図１は電源装置に搭載される電池ブロックの斜視図、図２は図１における電池ブロックの分解斜視図を、それぞれ示している。
【００２２】
この電源装置に搭載される電池ブロック１００は、電池セル１０の間にセパレータ２０を挟み込み電池セル１０を積層し、積層両端にエンドプレート５０を嵌め込んでいる。図示していないが、両方のエンドプレート５０は、バインドバーにて締結される。これにより、電池ブロック１００は、積層方向を締結し固定することができる。
【００２３】
この図の電池ブロック１００に積層されている電池セル１０は、１２個を積層しているがこれに限るものではない。電池ブロック１００の電池セル１０の積層数は、要求される電力を供給できる数に増減させることができる。また、積層される電池セル１０は、並列及び直列にバスバーにて接続され、要求される電力とする電池積層構造体を構成することができる。この電池積層構造体は、複数連結し、並列及び直列に接続することにより更なる電力を供給する電源装置とすることができる。
（電池セル１０）
【００２４】
次に、電池セル１０は、図３の斜視図に示すように、角形電池からなる薄型の略箱形状とし、外装缶がアルミニウム等の金属で形成されている。また、電池セル１０は、外装缶の上面で両端部に正負一対の電極端子１３を突出させると共に、電極端子１３間には安全弁１４を設けた封口板１１を備えている。安全弁１４は、電池セル１０の内圧が所定値以上に上昇した際に開弁して、内部のガスを放出できるように構成される。これにより、安全弁１４を開弁させることで、電池セル１０の内圧上昇を回避することができる。
【００２５】
電池セル１０を構成する素電池は、リチウムイオン二次電池、ニッケル−水素電池、ニッケル−カドミウム電池等の充電可能な二次電池である。特に薄型電池にリチウムイオン二次電池を使用すると、電池ブロック全体の容量に対する充電容量を大きくできる特長がある。このため、電池セル１０は、薄型の形状を保ったまま充電容量を確保し、積層される電池ブロック１００の小型化を図ることができる。
（熱収縮フィルム１５）
【００２６】
また、電池セル１０は、外装缶の封口板１１を除く壁面及び底面を、熱収縮フィルム１５であるシュリンクチューブで熱収縮され被覆し絶縁している。これにより、電池セル１０の封口板１１を除く周囲を絶縁でき、隣接する電池セル１０間での短絡や底面で載置する金属板と導通するなど、意図しない導通を防止し、また水滴などから保護することができる。
（セパレータ２０）
【００２７】
次に、積層される電池セル１０にセパレータを貼り付けた状態の斜視図を図４に示す。このセパレータ２０は、シート状をなし、電池セル１０の積層面の一面を側面被覆部として絶縁している。ただ、図に示すようにこのセパレータ２０は、電池セル１０の積層面の一面全体を絶縁している訳ではなく、電池セル１０の底部を除く短縮した高さとしている。さらにセパレータ２０は、上面被覆部として折曲され、一対の電極端子１３及び安全弁１４を除き、封口板１１を覆った形状としている。このセパレータ２０は、電極端子１３の土台１２で位置決めをするための切込を入れ、さらに安全弁１４部分を開口する弁開口部２１を形成している。ただ、セパレータは、電池セル１０における上面の必ずしも全面を覆う必要はなく、電池セル１０の封口板１１と外装缶との接合部分のみ覆う形状とすることもできる。これにより、セパレータ２０は、複数の電池セル１０間に挟み込まれ積層されることにより、隣接する電池セル１０の上面にある封口板１１間での結露等における導通を回避することができる。
【００２８】
また、このセパレータ２０は、電池セル１０の積層面の片面のみに側面被覆部として、シート状に形成されることにより、薄型化を図っている。これにより、複数の電池セル１０と、その片面のみを被覆したセパレータ２０を積層した電池ブロック１００は、両面をセパレータで被覆する構成に比べ、積層方向への長さをさらに短縮し、小型化を図ることができる。
【００２９】
さらに、このセパレータ２０は、電池セル１０の積層面との中央付近においてシートの厚みを肥厚化している。この結果、電池セル１０は、積層面で中央付近以外の外周に空間を形成し、離間された状態を作り出すことができる。これにより、積層される電池セル１０間が狭くなり、封口板１１と外装缶との接合強度の弱い溶接部分が、隣接する電池セル１０により押圧されて、破損する恐れを回避することができる。
【００３０】
上記電池セル間における積層面の外周を離間させた電池セル間の概略断面図を図５に示す。図に示すように電池セル１０は、上面を除く側面を熱収縮フィルム１５であるシュリンクチューブにて絶縁されている。さらに、セパレータ２０は、電池セル１０の上面及び一側面を覆う形状としている。さらにまた、セパレータ２０は、一側面を覆うシートで、電池セル１０の接合面における周縁近傍を除き二重にしている。これにより、電池セル１０の封口板１１と外装缶との接合部分を隣接する電池セル１０間で押圧し、破損することを回避することができる。さらに、電池セル１０の上部に結露等の水滴が付着したとしても、電池セル１０の上面をセパレータ２０の上面被覆部で保護しているため、絶縁を維持することができる。
【００３１】
一方、電池セルの発熱等によるセパレータの延伸や収縮等変形の少ない素材が好ましい。そのため、このセパレータ２０の素材は、絶縁性に優れ、さらに熱に強い樹脂製でシート状としたポリカーボネート（ＰＣ）等を利用することが好適である。ただ、これに限るものではなくポリエチレン（ＰＥ）、ポリスチレン（ＰＳ）等を利用することもできる。
（実施例１）
【００３２】
次に、セパレータであるシートの厚みを形成する方法の一例として、実施例１のセパレータの形状を斜視図とした図６に示す。このセパレータ２０Ａのシートは、下端辺より電池セル１０に接合する面より幅を狭く、また高さも低く突出させた突出シート２０Ａ’を外折りで折曲させて積層部を形成する。これにより、セパレータ２０Ａは、電池セル１０の積層面の腹である中央付近を肥厚に形成することができる。ただ、セパレータ２０Ａの突出シート２０Ａ’は、外折りに限定されるものではなく、内折りとすることもできる。また折曲させた積層部は、接着材で固定する他、熱溶着でセパレータ同士を溶着させることもできる。
（実施例２）
【００３３】
さらに、セパレータは、突出シートの折曲回数を一回のみに止まらず、二回以上の折曲回数を持たせ、厚みをさらに肥厚化することもできる。そのセパレータであるシートの厚みを形成する方法として、実施例２のセパレータの形状を斜視図とした図７に示す。このセパレータ２０Ｂは、下端辺より電池セル１０に接合する面より幅を狭く、また高さも低く突出した突出シート２０Ｂ’を備え、さらに突出シート２０Ｂ’の先に略同形の突出シート２０Ｂ’’を備えている。まず、突出シート２０Ｂ’’を突出シート２０Ｂ’側に外折りし、次に折曲した突出シート２０Ｂ’’と突出シート２０Ｂ’をセパレータ２０Ｂ側に外折りで折り畳む。これにより、セパレータ２０Ｂは、電池セル１０の積層面における腹部分を三重の厚みのシートとすることができる。これにより、セパレータ２０Ｂは、電池セル１０間における積層面の周縁をさらに離間させることができる。
（実施例３）
【００３４】
さらに、セパレータは、折曲させたシートとすることもできるが、これに限るものではなく別部材とすることもできる。このセパレータであるシートの厚みを形成する方法として、実施例３のセパレータの形状を斜視図とした図８に示す。セパレータ２０Ｃは、電池セル１０における片側の積層面全体を被覆できる寸法としている。さらにこのセパレータ２０Ｃには、電池セル１０に接合する面より幅が狭く、また高さも低い、個別の接合シート２０Ｃ’を貼り付けている。貼り付ける縦方向の位置は、セパレータ２０Ｃの略中央に接合シート２０Ｃ’の略中央部を合わせる。さらに、貼り付ける横方向の位置は、セパレータ２０Ｃの略中央に、接合シート２０Ｃ’の略中央が一致する位置に貼り付けることが望ましい。この接合シート２０Ｃ’は、セパレータ２０Ｃの厚みと同じ厚みとすることもできるが、これに限るものではなく、セパレータ２０Ｃの厚みより肥厚化させることもできる。また、接合シート２０Ｃ’は、セパレータ２０Ｃの厚みと同等とし、複数枚貼り合わせることもできる。これにより、電池セルの製造状況により接合シート２０Ｃ’の厚みを調整することができ、電池セル１０の封口板と外装缶との接合部分を隣接する電池セル１０間で押圧し、破損することを回避することができる。言い換えれば、電池セル間における積層面の外周を離間させることができ、電池セル同士での押圧による破損を回避させることができる。
【００３５】
一方、この場合のセパレータは、電池セル１０の片側の積層面全体とせず、積層面の下端部を除き被覆させることもできる。ただ、その場合の接合シート２０Ｃ’における中央の位置は、電池セル１０における積層面の横方向及び縦方向でそれぞれの略中央と一致させた腹部分の場所に接合されることが望ましい。
【００３６】
上記セパレータ２０Ｃは、接合シート２０Ｃ’を接合する上で、熱溶着させることが好ましいが、これに限るものではなく、接着剤等により接合させることもできる。なお、以上の例ではセパレータで、封口板１１の、一対の電極端子１３及び安全弁１４を除く全面を覆った形状としている。ただ、本発明はセパレータをこの形状に限定するものでなく、セパレータの積層面から上面にかけての端縁部分を被覆するものでもよい。すなわち、隣接する電池セルとの界面において、水滴等で導通することを回避できれば足りる。
【００３７】
以上の電源装置は、車載用のバッテリシステムとして利用できる。電源装置を搭載する車両としては、エンジンとモータの両方で走行するハイブリッドカーやプラグインハイブリッドカー、あるいはモータのみで走行する電気自動車などの電動車両が利用でき、これらの車両の電源として使用される。
（ハイブリッド車用電源装置）
【００３８】
エンジンとモータの両方で走行するハイブリッドカーに電源装置を搭載する例を図９に示す。この図に示す電源装置を搭載した車両ＨＶは、車両ＨＶを走行させるエンジン９６及び走行用のモータ９３と、モータ９３に電力を供給するバッテリシステム１００Ｂと、バッテリシステム１００Ｂの電池を充電する発電機９４とを備えている。バッテリシステム１００Ｂは、ＤＣ／ＡＣインバータ９５を介してモータ９３と発電機９４に接続している。車両ＨＶは、バッテリシステム１００Ｂの電池を充放電しながらモータ９３とエンジン９６の両方で走行する。モータ９３は、エンジン効率の悪い領域、たとえば加速時や低速走行時に駆動されて車両を走行させる。モータ９３は、バッテリシステム１００Ｂから電力が供給されて駆動する。発電機９４は、エンジン９６で駆動され、あるいは車両にブレーキをかけるときの回生制動で駆動されて、バッテリシステム１００Ｂの電池を充電する。
（電気自動車用電源装置）
【００３９】
また、モータのみで走行する電気自動車に電源装置を搭載する例を図１０に示す。この図に示す電源装置を搭載した車両ＥＶは、車両ＥＶを走行させる走行用のモータ９３と、このモータ９３に電力を供給するバッテリシステム１００Ｃと、このバッテリシステム１００Ｃの電池を充電する発電機９４とを備えている。モータ９３は、バッテリシステム１００Ｃから電力が供給されて駆動する。発電機９４は、車両ＥＶを回生制動する時のエネルギーで駆動されて、バッテリシステム１００Ｃの電池を充電する。
（蓄電装置）
【００４０】
さらに、この電源装置は、移動体用の動力源としてのみならず、載置型の蓄電用設備としても利用できる。例えば家庭用、工場用の電源として、太陽光や深夜電力等で充電し、必要時に放電する電源システム、あるいは日中の太陽光を充電して夜間に放電する街路灯用の電源や、停電時に駆動する信号機用のバックアップ電源等にも利用できる。このような例を図１１に示す。この図に示す電源装置１００Ａは、複数の電池積層構造体８１をユニット状に接続して電池ユニット８２を構成している。各電池積層構造体８１は、複数の角形電池セルが直列及び／又は並列に接続されている。各電池積層構造体８１は、電源コントローラ８４により制御される。この電源装置１００Ａは、電池ユニット８２を充電用電源ＣＰで充電した後、負荷ＬＤを駆動する。このため電源装置１００Ａは、充電モードと放電モードを備える。負荷ＬＤと充電用電源ＣＰはそれぞれ、放電スイッチＤＳ及び充電スイッチＣＳを介して電源装置１００Ａと接続されている。放電スイッチＤＳ及び充電スイッチＣＳのＯＮ／ＯＦＦは、電源装置１００Ａの電源コントローラ８４によって切り替えられる。充電モードにおいては、電源コントローラ８４は充電スイッチＣＳをＯＮに、放電スイッチＤＳをＯＦＦに切り替えて、充電用電源ＣＰから電源装置１００Ａへの充電を許可する。また充電が完了し満充電になると、あるいは所定値以上の容量が充電された状態で負荷ＬＤからの要求に応じて、電源コントローラ８４は充電スイッチＣＳをＯＦＦに、放電スイッチＤＳをＯＮにして放電モードに切り替え、電源装置１００Ａから負荷ＬＤへの放電を許可する。また、必要に応じて、充電スイッチＣＳをＯＮに、放電スイッチＤＳをＯＮにして、負荷ＬＤの電力供給と、電源装置１００Ａへの充電を同時に行うこともできる。
【００４１】
電源装置１００Ａで駆動される負荷ＬＤは、放電スイッチＤＳを介して電源装置１００Ａと接続されている。電源装置１００Ａの放電モードにおいては、電源コントローラ８４が放電スイッチＤＳをＯＮに切り替えて、負荷ＬＤに接続し、電源装置１００Ａからの電力で負荷ＬＤを駆動する。放電スイッチＤＳはＦＥＴ等のスイッチング素子が利用できる。放電スイッチＤＳのＯＮ／ＯＦＦは、電源装置１００Ａの電源コントローラ８４によって制御される。図１１の例では、ＵＡＲＴやＲＳ−２３２Ｃ等の既存の通信プロトコルに従い、ホスト機器ＨＴと接続されている。また電源コントローラ８４は、外部機器と通信するための通信インターフェースを備えている。また必要に応じて、電源システムに対してユーザが操作を行うためのユーザインターフェースを設けることもできる。
【００４２】
各電池積層構造体８１は、信号端子と電源端子を備える。信号端子は、パック入出力端子ＤＩと、パック異常出力端子ＤＡと、パック接続端子ＤＯとを含む。パック入出力端子ＤＩは、他のパック電池や電源コントローラ８４からの信号を入出力するための端子であり、パック接続端子ＤＯは子パックである他のパック電池に対して信号を入出力するための端子である。またパック異常出力端子ＤＡは、パック電池の異常を外部に出力するための端子である。さらに電源端子は、電池積層構造体８１同士を直列、並列に接続するための端子である。
【００４３】
さらに、この電源装置１００Ａは、電池ユニット８２の均等化のための均等化モードを備える。電池ユニット８２は並列接続スイッチ８５を介して出力ラインＯＬに接続されて互いに並列に接続されている。このため電源コントローラ８４に制御される均等化回路８６を備えている。均等化回路８６によって、複数の電池ユニット８２間の電池残存容量のばらつきを抑制される。
【産業上の利用可能性】
【００４４】
本発明に係る電源装置は、ＥＶ走行モードとＨＥＶ走行モードとを切り替え可能なプラグイン式ハイブリッド電気自動車やハイブリッド式電気自動車、電気自動車等の電源装置として好適に利用できる。またコンピュータサーバのラックに搭載可能なバックアップ電源装置、携帯電話等の無線基地局用のバックアップ電源装置、家庭内用、工場用の蓄電用電源、街路灯の電源等、太陽電池と組み合わせた蓄電装置、信号機等のバックアップ電源用等の用途にも適宜利用できる。
【符号の説明】
【００４５】
１００…電池ブロック
１００Ａ…電源装置
１００Ｂ、１００Ｃ…バッテリシステム
１０…電池セル
１１…封口板
１２…土台
１３…電極端子
１４…安全弁
１５…熱収縮フィルム
２０、２０Ａ、２０Ｂ、２０Ｃ…セパレータ
２０Ａ’、２０Ｂ’、２０Ｂ’’…突出シート
２０Ｃ’…接合シート
２１…弁開口部
５０…エンドプレート
８１…電池積層構造体
８２…電池ユニット
８４…電源コントローラ
８５…並列接続スイッチ
８６…均等化回路
９３…モータ
９４…発電機
９５…インバータ
９６…エンジン
９１０…電池セル
９１１…封口板
９１５…シュリンクチューブ
９２０…セパレータ
９４０…水滴
ＨＶ、ＥＶ…車両
ＬＤ…負荷；ＣＰ…充電用電源；ＤＳ…放電スイッチ；ＣＳ…充電スイッチ
ＯＬ…出力ライン；ＨＴ…ホスト機器
ＤＩ…パック入出力端子；ＤＡ…パック異常出力端子；ＤＯ…パック接続端子
【図１】
2013114954.tif 000003
【図２】
2013114954.tif 000004
【図３】
2013114954.tif 000005
【図４】
2013114954.tif 000006
【図５】
2013114954.tif 000007
【図６】
2013114954.tif 000008
【図７】
2013114954.tif 000009
【図８】
2013114954.tif 000010
【図９】
2013114954.tif 000011
【図１０】
2013114954.tif 000012
【図１１】
2013114954.tif 000013
【図１２】
2013114954.tif 000014